(57)【要約】【課題】ビューファインダの画面部の位置を変更しても、画面部が向いている方向を一定に保持可能なビューファインダを提供することである。【解決手段】ビューファインダ１の右側アーム部１３ａの第１の右側アーム１５ａ、第２の右側アーム１７ａ、台座部５及び画面部３が４節回転リンク機構を形成し、ビューファインダ１の左側アーム部１３ｂの第１の左側アーム１５ｂ、第２の左側アーム１７ｂ、台座部５及び画面部３が４節回転リンクを形成している。【選択図】図４
2011223305.tif 000002
【特許請求の範囲】
【請求項１】
カメラ本体によって撮影された画像を表示可能な表示画面が形成された画面部と、
前記カメラ本体に固定可能な台座部と、
前記台座部と前記画面部を連結し、前記画面部を前記台座部を基点として移動させるアーム部と、を有し、
前記アーム部は、
前記画面部の右側サイドに形成された右側アーム部と、
前記画面部の左側サイドに形成された左側アーム部と、を有し、
前記右側アーム部は、
前記画面部と回転可能に形成され、かつ、前記台座部と回転可能に形成される第１の右側アームと、
前記画面部と回転可能に形成され、かつ、前記台座部と回転可能に形成される第２の右側アームと、を含み、
前記左側アーム部は、
前記画面部と回転可能に形成され、かつ、前記台座部と回転可能に形成される第１の左側アームと、
前記画面部と回転可能に形成され、かつ、前記台座部と回転可能に形成される第２の左側アームと、を含み、
前記第１の右側アーム、前記第２の右側アーム、前記台座部及び前記画面部が４節回転リンク機構を形成し、
前記第１の左側アーム、前記第２の左側アーム、前記台座部及び前記画面部が４節回転リンクを形成している
ビューファインダ。
【請求項２】
前記第１の右側アームと前記台座部とを回転可能に連結する第１の右側回転中心軸は前記第２の右側アームと前記台座部とを回転可能に連結する第２の右側回転中心軸よりも、前記台座部が前記カメラ本体と連結する側に位置し、
前記第１の右側アームと前記画面部とを回転可能に連結する第３の右側回転中心軸は前記第２の右側アームと前記画面部とを回転可能に連結する第４の右側回転中心軸よりも、前記台座部が前記カメラ本体と連結する側に位置し、
前記第１の左側アームと前記台座部とを回転可能に連結する第１の左側回転中心軸は前記第２の左側アームと前記台座部とを回転可能に連結する第２の左側回転中心軸よりも、前記台座部が前記カメラ本体と連結する側に位置し、
前記第１の左側アームと前記画面部とを回転可能に連結する第３の左側回転中心軸は前記第２の左側アームと前記画面部とを回転可能に連結する第４の左側回転中心軸よりも、前記台座部が前記カメラ本体と連結する側に位置する
請求項１に記載のビューファインダ。
【請求項３】
第１の右側回転中心軸と第３の右側回転中心軸との距離と第２の右側回転中心軸と第４の右側回転中心軸との距離とが同一に形成され、
第１の右側回転中心軸と第３の右側回転中心軸との距離と第２の右側回転中心軸と第４の右側回転中心軸との距離とが同一に形成される
請求項２に記載のビューファインダ。
【請求項４】
前記第３の右側回転中心軸と前記第４の右側回転中心軸との間には、前記画面部の角度を変更する画面角度調整部が形成され、
前記第１の右側回転中心軸には、前記右側アーム部及び前記左側アーム部が伸びている角度を変更するアーム角度調整部が形成され、
前記第３の左側回転中心軸と前記第４の左側回転中心軸との間には、前記画面部の角度の変更に必要な力を調節する画面部側フリクション調整部が形成され、
前記第１の左側回転中心軸には、前記右側アーム部及び前記左側アーム部が伸びている角度を変更するのに必要な力を調整する台座部側フリクション調整部が形成されている
請求項３に記載のビューファインダ。
【請求項５】
前記第１の右側回転中心軸及び前記第１の左側回転中心軸と接続された連結軸が形成され、
前記連結軸は前記第１の右側アーム及び前記第１の左側アームと固定され、前記第１の右側アームと前記第１の左側アームの角度を一致させている
請求項２〜４のいずれか１項に記載のビューファインダ。
【請求項６】
前記右側アーム部及び前記左側アーム部を回転させて前記画面部を前記カメラ本体から離間させる方向に前記回転中心軸には回転力が付与されている
請求項５に記載のビューファインダ。
【請求項７】
ウオームギアと、
前記ウオームギアのウオームを回転させる回転力調節部と、
一端が前記連結軸と固定され、前記ウオームギアのウオームホールと固定されるねじりコイルばねと、を有する
請求項６に記載のビューファインダ。
【請求項８】
前記ねじりコイルばねは、前記連結軸を中心にして螺旋状に巻かれている
請求項７に記載のビューファインダ。
【請求項９】
前記画面部の右側サイドには、表示画面の手前側に張り出した右側ハンドルが形成され、
前記画面部の左側サイドには、表示画面の手前側に張り出した左側ハンドルが形成されている
請求項１〜８のいずれか１項に記載のビューファインダ。
【請求項１０】
前記右側ハンドルは、一端は前記画面部の上部位置で固定され、他端は前記画面部の下部位置で固定されている縦型ハンドルであり、
前記左側ハンドルは、一端は前記画面部の上部位置で固定され、他端は前記画面部の下部位置で固定されている縦型ハンドルである
請求項９に記載のビューファインダ。
【請求項１１】
前記右側ハンドルの上部側の位置には、右側操作部が形成され、
前記左側ハンドルの上部側の位置には、左側操作部が形成されている
請求項１０に記載のビューファインダ。
【発明の詳細な説明】
【技術分野】
【０００１】
本発明は、被写体を撮影して記録する機能を有するカメラ本体に装着可能で、カメラ本体が撮影している画像、カメラ本体の各状況の情報等を表示可能なビューファインダに関する。
【背景技術】
【０００２】
特許文献１には、ビューファインダの画面部が向いている角度を変更可能な機構が記載されている。
また、特許文献２には、ビデオカメラのビューファインダの画面部が向いている角度を変更可能な機構が記載されている。
【先行技術文献】
【特許文献】
【０００３】
【特許文献１】特開２００９―１１１９４４号公報
【特許文献２】特開平８―２１４１９４号公報
【発明の概要】
【発明が解決しようとする課題】
【０００４】
しかしながら、特許文献１及び特許文献２に記載の機構では、ビューファインダの位置を変更してしまうと、ビューファインダの画面部の位置の変更に伴い、ビューファインダの画面部の向いている方向が変わってしまうという不利益がある。
【０００５】
本発明は、ビューファインダの画面部の位置を変更しても、画面部が向いている方向を一定に保持可能なビューファインダを提供することにある。
【課題を解決するための手段】
【０００６】
本発明のビューファインダは、カメラ本体によって撮影された画像を表示可能な表示画面が形成された画面部と、前記カメラ本体に固定可能な台座部と、前記台座部と前記画面部を連結し、前記画面部を前記台座部を基点として移動させるアーム部と、を有し、前記アーム部は、前記画面部の右側サイドに形成された右側アーム部と、前記画面部の左側サイドに形成された左側アーム部と、を有し、前記右側アーム部は、前記画面部と回転可能に形成され、かつ、前記台座部と回転可能に形成される第１の右側アームと、前記画面部と回転可能に形成され、かつ、前記台座部と回転可能に形成される第２の右側アームと、を含み、前記左側アーム部は、前記画面部と回転可能に形成され、かつ、前記台座部と回転可能に形成される第１の左側アームと、前記画面部と回転可能に形成され、かつ、前記台座部と回転可能に形成される第２の左側アームと、を含み、前記第１の右側アーム、前記第２の右側アーム、前記台座部及び前記画面部が４節回転リンク機構を形成し、前記第１の左側アーム、前記第２の左側アーム、前記台座部及び前記画面部が４節回転リンクを形成している。
【発明の効果】
【０００７】
本発明によると、ビューファインダの画面部の位置を変更しても、画面部が向いている方向を一定に保持可能なビューファインダを提供することができる。
【図面の簡単な説明】
【０００８】
【図１】実施形態に係るビューファインダの外観図である。
【図２】ビューファインダの正面図である。
【図３】ビューファインダの左側面図である。
【図４】ビューファインダのアーム部の説明図である。
【図５】画面部を取り除いた台座部及びアーム部の平面図である。
【図６】図５のＶＩ―ＶＩにおける断面の説明図である。
【図７】回転力調節部、ウオームギア及びコイルばねの構造の説明図である。
【図８】ハンドルの説明図である。
【発明を実施するための形態】
【０００９】
以下、発明を実施するための形態（以下実施形態とする）について説明する。
なお、説明は以下の順序で行う。
１．実施形態におけるビューファインダ１のリンク構造の説明
２．実施形態におけるビューファインダ１の画面部３を一定の位置に保持する保持構造の説明
３．実施形態におけるハンドル３７及びハンドル３７に形成される操作部３９の説明
【００１０】
＜１．実施形態におけるビューファインダ１のリンク構造の説明＞
図１は、本発明の実施形態に係るビューファインダ１の外観図である。
【００１１】
ビューファインダ１は、カメラ本体９とアジャスタ部７を介して連結されている。
通常においてビューファインダ１はカメラ本体９の上部位置で連結されるが、たとえば、カメラ本体９の側面等で連結されていても良い。
カメラ本体９は、映像を撮影して、必要な各種の電気的な処理を行い出力、録画等を行う。
カメラ本体９は、三脚において一定の高さ・方向を向くように固定される。
本実施形態では、ユーザは左手において、カメラ本体９の方向等を調節し、右手においてカメラ本体９の各種の調節を行う形態を念頭において説明を行うが、右手及び左手の役割は様々に変更されうる。
【００１２】
ビューファインダ１は、画面部３、台座部５、アジャスタ部７及びアーム部１３から構成されている。
【００１３】
図２は、ビューファインダ１の正面図である。
【００１４】
図２のように、画面部３には表示画面３５が形成されており、この表示画面３５にカメラ本体９が撮影している映像、カメラ本体９の各種状態、カメラ本体９の設定等が表示される。
この表示画面３５を参照することによって、ユーザ（カメラマン）はフォーカス、アングル、色彩、ズーム、明るさ等を変更する。
このユーザが変更するものは、カメラ本体９の位置、方向等を変更する場合もあるし、カメラ本体９が内部で行う処理を変更する場合もある。
ユーザは表示画面３５を参照しつつ各種の操作を行うことから、表示画面３５をユーザが常に視認することを可能とすることは操作性の観点から極めて重要である。
特に、カメラ本体９の位置や角度を変更する場合には、カメラ本体９の位置を変更しつつそれが適切であるかを確認するために、表示画面３５を確認する必要がある。
そして、その場合には、カメラ本体９の位置や角度を変更し、カメラ本体９のフォーカス、露出等をも変更する必要がある場合が多いことから、ユーザが画面部３の角度を変更する時間的、精神的余裕が無い場合が多い。
しかし、カメラ本体９の角度位置を変更したことによって、画面部３の角度を変更する必要が生じる場合が多い。
そこで、本実施形態では、容易に画面部３の位置を変更可能であり、かつ、変更時に画面部３が不適切な方向を向くことが無いようにビューファインダ１を構成している。
以下、具体的に説明する。
【００１５】
容易に画面部３のカメラ本体９に対する位置を変更可能であり、かつ、位置を変更時に画面部３が向いている方向を一定に保持可能とする構成は、特に、アーム部１３において実現されている。
アーム部１３は、図２のように、右側アーム部１３ａと左側アーム部１３ｂから構成されている。
右側アーム部１３ａと左側アーム部１３ｂとは基本的に同一の機能と構造を有している。
ここで、基本的にとしたのは、後述する第１の右側回転ハンドル３１ａと第１の左側回転ハンドル３１ｂとはその外観は同一であるがその機能が異なるからである。同様に、後述する第２の右側回転ハンドル３３ａと第２の左側回転ハンドル３３ｂもその外観は同一であるがその機能が異なる。
右側アーム部１３ａと左側アーム部１３ｂの詳細な構造は図３及び図４に関連付けて後で説明する。
【００１６】
画面部３は、およそ直方体の形状を有している。
そして、一つの面の中央部に表示画面３５が形成されている。
表示画面３５の右側及び左側サイドには、複数の操作部３９が形成されている。
ユーザはこの操作部３９を操作（調整）することによって、表示画面３５の表示状況を変更することが可能である。さらに、ユーザは操作部３９を操作することによって、カメラ本体９を操作しても良い。加えて、ユーザは操作部３９を操作することによって、カメラ本体９の映像処理の変更等の操作をしても良い。
画面部３の表示画面３５が形成されている側に、ハンドル３７が形成されている。ユーザは、このハンドル３７を把持等することによって、ユーザが画面部３の位置及び角度を変更する。
なお、ユーザは画面部３の位置及び角度をこのハンドル３７によって変更することが可能であり、さらに、後述する第１の右側回転ハンドル３１ａによって画面部３の位置を、後述する第２の右側回転ハンドル３３ａによって画面部３の角度を変更可能である。
ハンドル３７は、図２において、表示画面３５の右側に形成された右側ハンドル３７ａと表示画面３５の左側に形成された左側ハンドル３７ｂから構成されている。
右側ハンドル３７ａ及び左側ハンドル３７ｂは、縦型ハンドルである。なお、右側ハンドル３７ａ及び左側ハンドル３７ｂの具体的な構成については図８に関連付けて後で詳説する。
【００１７】
台座部５は、アジャスタ部７と連結され、かつ、右側アーム部１３ａ及び左側アーム部１３ｂとも連結されている。
アジャスタ部７は、台座部５の向いている角度及び台座部５の位置を変更することが可能である。
台座部５の中央付近の上側位置には、回転力調節部４１が形成されている。この回転力調節部４１は、アーム部１３の向いている角度を保持するための力を調節する機能を有している。なお、回転力調節部４１については、図６及び図７に関連付けて後で詳説する。
ここで、図２のように画面部３の左側の方向を左側方向といい、画面部３の右側の方向を右側方向という。
【００１８】
図３は、ビューファインダ１の左側面図である。
図４は、ビューファインダ１のアーム部１３の説明図である。
【００１９】
図３のように、ビューファインダ１のアーム部１３ｂは、４節回転リンク機構を有している（図４も参照のこと）。
また、台座部５に第１の左側支持部２７ｂが接続されている。（なお、形状等は図１も参照されたい。）
また、アーム部１３は、基本的に右側アーム部１３ａと左側アーム部１３ｂとは同一の構造を有しており、左側アーム部１３ｂの構造について記載した内容は、特に記載が無い限り右側アーム部１３ａについても同様である。
【００２０】
第１の左側支持部２７ｂのさらに左側方向側には、第１の左側回転ハンドル３１ｂが形成されている（方向については、図２も参照されたい）。
また、第１の左側回転ハンドル３１ｂの回転中心軸には、第１の左側回転中心軸１９ｂが形成されている。
この第１の左側回転中心軸１９ｂを中心に第１の左側アーム１５ｂは回転する。
第１の左側支持部２７ｂには、第２の左側回転中心軸２３ｂが形成されており、この第２の左側回転中心軸２３ｂを中心に第２の左側アーム１７ｂは回転する。
ここで、第１の左側回転ハンドル３１ｂは、第１の左側アーム１５ｂを回転させるのに必要な最低限の力を調節するフリクション（摩擦）の大きさを調節する役割を果たしている。
つまり、第１の左側回転ハンドル３１ｂを、たとえば、右方向に回転させると、フリクションが大きくなり、第１の左側アーム１５ｂの角度を変更するのに必要な力が増大する。
逆に、第１の左側回転ハンドル３１ｂを、たとえば、左方向に回転させると、フリクションが小さくなり、第１の左側アーム１５ｂの角度を変更するのに必要な力が減少する。
このフリクションを発生させる手段は、様々な方法を用いて良い。たとえば、第１の左側アーム１５ｂを第１の左側支持部２７ｂに押し付けることによって、ドラムブレーキのような効果でフリクションを発生させてもよい。さらに、第１の左側アーム１５ｂを台座部５に押し付けることによって、ドラムブレーキのような効果でフリクションを発生させてもよい。
他方、第１の左側回転ハンドル３１ｂの反対側の第１の右側回転ハンドル３１ａは、第１の左側回転ハンドル３１ｂとは異なる機能を発揮する。
具体的には、第１の右側回転ハンドル３１ａは、第１の右側アーム１５ａと連結されており、第１の右側回転ハンドル３１ａを回転させると、その回転に応じて第１の右側アーム１５ａも回転する。
つまり、第１の右側回転ハンドル３１ａは、第１の右側アーム１５ａを回転させる機能を有する。
また、後述するが、第１の右側アーム１５ａと第１の左側アーム１５ｂとは連結軸５１によって連結されて一体化しており、第１の右側アーム１５ａと第１の左側アーム１５ｂとは、同一の角度となるように構成されている。
その結果、第１の右側アーム１５ａの角度を調節する第１の右側回転ハンドル３１ａは第１の左側アーム１５ｂの角度をも調整するものであり、さらに、アーム部１３を移動させることによって画面部３の位置をも調整するものである。
同様の理由によって、第１の左側アーム１５ｂを回転させるのに必要な最低限の力であるフリクションを調整する第１の左側回転ハンドル３１ｂは、アーム部１３を移動させて画面部３を移動させるのに必要な最低限の力を調整するものである。
【００２１】
第２の左側回転中心軸２３ｂは、第１の左側回転中心軸１９ｂよりもカメラ本体９側とは逆方向（以後、上側方向という）に位置している。また、第１の左側回転中心軸１９ｂは、第２の左側回転中心軸２３ｂよりも画面部３が移動可能な水平方向（以後、手前側方向という）側に位置している。
【００２２】
第１の左側回転中心軸１９ｂを中心に回転可能な第１の左側アーム１５ｂは、第３の左側回転中心軸２１ｂにおいて第２の左側支持部２９ｂと回転可能に連結されている。
同様に、第２の左側回転中心軸２３ｂを中心に回転可能な第２の左側アーム１７ｂは、第４の左側回転中心軸２５ｂにおいて第２の左側支持部２９ｂと回転可能に連結されている。
ここで、第１の左側アーム１５ｂと第２の左側アーム１７ｂとは同一の長さを有している。また、第１の左側回転中心軸１９ｂと第２の左側回転中心軸２３ｂとの間の距離は、第３の左側回転中心軸２１ｂと第４の左側回転中心軸２５ｂとの間の距離と同一である。
このようなリンク構造を有していることから、図４のように、左側アーム部１３ｂ及び右側アーム部１３ａの角度が変化して第２の左側支持部２９ｂの位置が変化しても、第２の左側支持部２９ｂの角度は変化しない。
つまり、画面部３の位置を変化させても（＝アーム部１３の角度を変化させても）、画面部３の表示画面３５が向いている方向は変化しない。
この画面部３の位置を変化させても画面部３の表示画面３５の向いている方向は変化しないことから、ユーザが画面部３を移動させた場合であっても、ユーザはさらに特段の操作を行わなくても、表示画面３５を視認し続けることが可能となる。
【００２３】
なお、第１の左側アーム１５ｂと第２の左側アーム１７ｂの長さは、第１の左側回転中心軸１９ｂと第２の左側回転中心軸２３ｂとの間の距離又は第３の左側回転中心軸２１ｂと第４の左側回転中心軸２５ｂとの間の距離の１／２程度である。
【００２４】
なお、本実施形態では第１の左側アーム１５ｂと第２の左側アーム１７ｂとの長さの関係は変えることが可能である。同様に、第１の左側回転中心軸１９ｂと第２の左側回転中心軸２３ｂとの間の距離と第３の左側回転中心軸２１ｂと第４の左側回転中心軸２５ｂとの間の距離との関係は変えることが可能である。
たとえば、第１の左側アーム１５ｂの長さを第２の左側アーム１７ｂよりも長く構成することも可能である。
このように構成すると、画面部３の位置を上側方向の位置（図４において点線の状態）から手前側方向の位置に移動させる（図４において実線の状態）ことによって、画面部３の表示画面３５の向いている方向を変化させることが可能となる。
つまり、本実施形態を上位概念で捉えると、画面部３の位置を変化させた際に、ユーザにとって使用しやすい方向を画面部３の表示画面３５が向くということである。その為の方法として、様々なリンク機構（たとえば各リンクの長さを調節する等）をとることが可能である。
また、アーム部１３のリンク構造はあくまで一例であり、必要に応じて変化させることが可能である。
【００２５】
第２の左側支持部２９ｂには、第２の左側回転ハンドル３３ｂが回転可能に形成されている。
この第２の左側回転ハンドル３３ｂは、画面部３を回転させるのに必要な最低限の力を調節するフリクション（摩擦）の大きさを調節する役割を果たしている。
つまり、第２の左側回転ハンドル３３ｂを右方向に回転させると、フリクションが大きくなり、画面部３を回転させるのに必要な力が増大する。
逆に、第２の左側回転ハンドル３３ｂを左方向に回転させると、フリクションが小さくなり、画面部３を回転させるのに必要な力が減少する。
他方、第２の左側回転ハンドル３３ｂの反対側の第２の右側回転ハンドル３３ａは、第２の左側回転ハンドル３３ｂとは異なる機能を発揮する。
具体的には、第２の右側回転ハンドル３３ａは画面部３を回転することができるように連結されており、第２の右側回転ハンドル３３ａを回転することによって、画面部３の表示画面３５の方向を変更することが可能である。
つまり、第２の右側回転ハンドル３３ａは、画面部３の方向を変更する機能を有している。
なお、第２の左側回転ハンドル３３ｂによってフリクションを発生させる手段は、様々な方法を用いて良い。たとえば、ドラムブレーキのような効果でフリクションを発生させてもよい。
このような構成を有することから、ユーザは容易に画面部３の位置や表示画面３５が向いている方向を変更することが可能となる。
【００２６】
また、第１の左側アーム１５ｂと第２の左側アーム１７ｂとの間には、左側配線アーム１６ｂが形成されている。
この左側配線アーム１６ｂは、カメラ本体９から電力及び画像情報送受信等のケーブルを画面部３に配線するために用いられる。
【００２７】
＜２．実施形態におけるビューファインダ１の画面部３を一定の位置に保持する保持構造の説明＞
以上で説明したように、第１の右側アーム１５ａは第１の右側回転ハンドル３１ａによって回転される。
そして、その回転に必要な最低限の力であるフリクションは第１の左側回転ハンドル３１ｂによって決定されている。
しかし、何ら対処をしない場合には、画面部３が図４の実線のように手前側方向の位置にある状態から上方向側の位置にある状態とするためには、画面部３及びアーム部１３の重さ並びにフリクションに抗する力を必要とする。
このような大きな力を、画面部３の位置（＝右側アーム部１３ａ及び左側アーム部１３ｂの角度）を変更する為に必要としてしまうと、ユーザに過度の負担となってしまうおそれがある。
さらに、画面部３を移動させたいときには、ユーザがカメラ本体９の位置等を変更している時で有る場合であることが多く、このような場合にユーザに大きな力を発揮させることは不都合である。
また、何らの対処をしない場合には、たとえ画面部３をユーザの所望の位置に移動させたとしても、その移動後の位置に保持することは困難である。
画面部３をユーザの所望の位置に移動させる方法として、第１の左側回転ハンドル３１ｂを左方向に回転させてフリクションを大きくすれば、画面部３及びアーム部１３が手前側方向に移動する力に打ち勝って画面部３の位置を保持することは可能である。
しかし、この方法では画面部３を上側方向に移動する際にさらに大きな力を必要としてしまい、不適切である。
他の方法として、画面部３を移動させる際に、まず第１の左側回転ハンドル３１ｂを右方向に回転させてフリクションを小さくしてから移動させ、移動後に、第１の左側回転ハンドル３１ｂを右方向に回転させてフリクションを大きくする方法がありうる。しかし、この方法では、ユーザは両手を用いないと画面部３を移動させることができず、同じく不適切である。
そこで、以上の問題点を解決するために本実施形態では以下のような方法を用いて、画面部３を容易に移動させること及び移動後の位置を保持することを可能としている。
【００２８】
図５は、画面部３を取り除いた台座部５及びアーム部１３の平面図である。
【００２９】
図５のように、第１の右側回転ハンドル３１ａの第１の右側回転中心軸１９ａと、第１の左側回転ハンドル３１ｂの第１の左側回転中心軸１９ｂとは、連結軸５１によって連結されている。
この連結軸５１によって、右側アーム部１３ａ（第１の右側アーム１５ａ及び第２の右側アーム１７ａ）と左側アーム部１３ｂ（第１の左側アーム１５ｂ及び第２の左側アーム１７ｂ）とは同一の角度となっている。
台座部５の中央位置、上側方向位置には、回転力調節部４１が形成されている。
この回転力調節部４１によって、右側アーム部１３ａと左側アーム部１３ｂを上側方向に回転させる回転力を発生させ、この回転力を調整している。
【００３０】
図６は、図５のＶＩ―ＶＩにおける断面の説明図である。
図７は、回転力調節部４１、ウオームギア４３及びコイルばね５５の構造の説明図である。
【００３１】
図６及び図７のように、第１の右側アーム１５ａは連結軸５１にねじ、キー溝等で結合されており、第１の右側アーム１５ａと連結軸５１は第１の右側回転中心軸１９ａを中心に一体となって回転する。
また、第１の右側アーム１５ａよりも内部方向位置には右側ストッパ５９ａが形成されている。この右側ストッパ５９ａは、連結軸５１を取り囲むように形成されており、ねじ、キー溝等で連結軸５１と結合されている。
したがって、連結軸５１と右側ストッパ５９ａとは一体となって回転する。そして、連結軸５１は第１の右側アーム１５ａとも一体であるのであるから、右側ストッパ５９ａ、連結軸５１及び第１の右側アーム１５ａは一体として回転する。
【００３２】
台座部５の中央位置には回転力調節部４１が形成されており、この回転力調節部４１のカメラ本体９側の内部にギアボックス５７が形成されている。
このギアボックス５７はウオームギア４３を収納している。ギアボックス５７内部のウオームギア４３は、ウオーム４７とウオームホール４５とを有している。
回転力調節部４１はウオーム４７と結合されており、回転力調節部４１を回転させるとウオーム４７も一体となって回転する。
このウオーム４７の回転によってウオームホール４５も連結軸５１と同心で回転する。
回転力調節部４１を右方向に回転させるとウオーム４７も同じく右方向に回転し、ウオームホール４５は第１の右側回転ハンドル３１ａから見て右方向に回転する。
逆に、回転力調節部４１を左方向に回転させるとウオーム４７も同じく左方向に回転し、ウオームホール４５は第１の右側回転ハンドル３１ａから見て右方向に回転する。
【００３３】
ウオームホール４５は、右側連結部材５３ａ及び左側連結部材５３ｂ（図７も参照のこと）と結合されている。つまり、右側連結部材５３ａ及び左側連結部材５３ｂは、ウオームホール４５と一体になって回転する。
その結果、回転力調節部４１を右方向に回転させると、右側連結部材５３ａは第１の右側回転ハンドル３１ａから見て右方向に回転する。
逆に、回転力調節部４１を左方向に回転させると、右側連結部材５３ａは第１の右側回転ハンドル３１ａから見て左方向に回転する。
また、ウオームホール４５及び右側連結部材５３ａには、抜け穴構造の貫通孔が形成されており、この貫通孔内部を連結軸５１が間隙を有して貫通している。
このように貫通孔内部を連結軸５１が間隙を有して貫通していることから、連結軸５１とウオームホール４５及び右側連結部材５３ａとは相対的にそれぞれ回転することが可能である。
【００３４】
右側連結部材５３ａと右側ストッパ５９ａとは、右側コイルばね５５ａとを介して連結されている。
もっとも、右側コイルばね５５ａは、ねじり方向に一定程度撓むことから、右側連結部材５３ａと右側ストッパ５９ａとは一体になって回転するわけではない。
この右側コイルばね５５ａは、右回りに周回するごとに第１の右側回転ハンドル３１ａに進むように多数回（１８回程度）、螺旋状に巻かれている。（なお、左側コイルばね５５ｂは、これとは逆向きに多数回螺旋状に巻かれている。）
ここで、右側コイルばね５５ａは多数回巻かれていることからバネ定数が比較的小さく、右側コイルばね５５ａのバネ力に抗して右側コイルばね５５ａをねじるのに必要な力は比較的小さく形成される。
このことは、逆にいえば、一度ねじりを与えて一定の回転力を生じさせた場合には、ある程度ねじり量が減少しても、ある程度回転力が減少するとしても回転力自体は生じ続けることを意味する。
このことを利用して、アーム部１３（右側アーム部１３ａ及び左側アーム部１３ｂ）に回転力を付与し続けることを可能としている。
なお、右側コイルばね５５ａと連結軸５１とは間隙を有して同心状に形成されている。このことから、右側コイルばね５５ａの状態は直接には連結軸５１には影響を与えない。ここで、直接にはとしたのは、右側コイルばね５５ａに生じるねじり力は右側ストッパ５９ａを介して連結軸５１に間接的に影響を与えるからである。
【００３５】
なお、図７のように、右側連結部材５３ａ、右側ストッパ５９ａ、右側コイルばね５５ａの構造は、左側連結部材５３ｂ、左側ストッパ５９ｂ、右側コイルばね５５ｂと同様であるが、面対称の構造になっている。
【００３６】
以上のような構成をビューファインダ１が有することから、ユーザはより少ない力で画面部３を移動させることができる。
具体的な方法は、ユーザは回転力調節部４１を調節して画面部３及びアーム部１３が重力によって手前側方向に回転するのに対抗する力を生じさせる事による。
つまり、画面部３及びアーム部１３はその重力によってアーム部１３を手前側方向に回転する力（モーメント）を発生させている。
そこで、ユーザは回転力調節部４１を右側方向に回転させて、連結部材５３等（ウオームホール４５、右側連結部材５３ａ及び左側連結部材５３ｂ）を第１の右側回転ハンドル３１ａ側から見て右側に回転させる。
その結果、アーム部１３が回転しない場合には、右側ストッパ５９ａと右側連結部材５３ａとの間にねじれを生じさせ、このねじれによって右側コイルばね５５ａはアーム部１３が上側方向に移動する力を発生する。
そして、右側コイルばね５５ａは多数回巻かれていることから、ある程度アーム部１３が上方向に移動（回転）しても、右側コイルばね５５は、ある程度回転力は減少するものの、回転力を発生し続けることが可能である。
したがって、回転力調節部４１によって、ユーザは容易に画面部３の位置を変更することが可能となる。
ところで、回転力調節部４１によって生ずる回転力は、必ずしも、完全に画面部３及びアーム部１３の重さによる回転力と完全に一致するわけではない。これがバランスしなければ画面部３は、ユーザによって移動させられた後に、その位置に留まらない。そのため、第１の左側回転ハンドル３１ｂによって生ずるフリクションによって、その位置に留めている。
以上のように、ビューファインダ１が回転力調節部４１及び第１の左側回転ハンドル３１ｂを有することによって、ビューファインダ１は画面部３の位置を容易に変更することができ、その上、その位置を特段の操作なく維持させることが可能となる。
つまり、このような構成をビューファインダ１は有することから、画面部３を所望の位置に移動させる動作の最初及び最後等にユーザは特段の操作を必要とせず、移動の最中に多くの力を必要としないことになる。
したがって、ユーザは、単に画面部３を片手で所望の位置に移動させるだけで画面部３の位置を変更することができる。
【００３７】
＜３．実施形態におけるハンドル３７及びハンドル３７に形成される操作部３９の説明＞
本実施形態においては、ユーザによる操作性向上のために、ハンドル３７を縦型のハンドルによって形成し、このハンドル３７に操作部３９を設けている。
本実施形態においては、回転力調節部４１によって画面部３を僅かな力で移動させることができることから、このようにハンドル３７を縦型に設けることを可能としている。
同様に、本実施形態においては、回転力調節部４１によって画面部３を僅かな力で移動させることができることから、このようにハンドル３７に操作部３９を設けることを可能としている。
以下、ハンドル３７及びハンドル３７に形成される操作部３９の実施形態を説明する。
【００３８】
なお、アーム部１３に回転力を生じさせる手段は、他に、たとえば、アーム部１３の第１の右側アーム１５ａ及び第１の左側アーム１５ｂと台座部５との間に直接バネを設ける事によっても良い。
さらに、アーム部１３に回転力を生じさせる手段は、シーソのようにアーム部１３の回転力とほぼ同一の回転力を発生させる部材を反対位置に設ける事によることも可能である。
【００３９】
図８は、ハンドル３７の説明図である。
【００４０】
図８のように、左側ハンドル３７ｂは、第１の左側ハンドル部材３７ｂ−１、第２の左側ハンドル部材３７ｂ−２及び第３の左側ハンドル部材３７ｂ−３から形成されている。
第１の左側ハンドル部材３７ｂ−１は、画面部３の左側でかつ上側位置から表示画面３５の外側方向に垂直に延びる四角棒状の形状を有している。
第２の左側ハンドル部材３７ｂ−２は、第１の左側ハンドル部材３７ｂ−１の表示画面３５から遠い方の端部から、下側方向に向かって延びる丸棒状の形状を有している。多くの場合、ユーザはこの第２の左側ハンドル部材３７ｂ−２を把持して画面部３の位置及び表示画面３５が向いている角度を変更している。
第３の左側ハンドル部材３７ｂ−３は、画面部３の左側でかつ下側位置から表示画面３５の外側方向に垂直に延びる丸棒状の形状を有している。
この第３の左側ハンドル部材３７ｂ−３と第２の左側ハンドル部材３７ｂ−２とは、それぞれと１３５度程度の角度を有する部材で連結されている。
左側ハンドル３７ｂは、以上のように縦型ハンドル形状を有している。このように、縦型ハンドル形状を有していることから、ユーザは横型ハンドル形状に比べてより容易に画面部３の角度を調節することが可能となっている。
なお、前述したが、回転力調節部４１等の回転力保持構造を有していることから、画面部３の位置を変更するために必要とされる力が減少したため、このような縦型ハンドルを採用可能となっている。
【００４１】
また、第１の左側ハンドル部材３７ｂ−１の表示画面３５の外部側方向位置で、左側側面には２つの左側操作部３９ｂが形成されている。
この、左側操作部３９ｂは表示画面３５の表示内容等を変更することが可能である。場合によっては、カメラ本体９の状態を変更等することも可能である。
このように、第１の左側ハンドル部材３７ｂ−１に左側操作部３９ｂが形成されていることから、ユーザは画面部３を操作しつつ左側操作部３９ｂを操作することが可能となっている。
また、第２の左側ハンドル部材３７ｂ−２ではなく、第１の左画エアハンドル部材３７ｂ−１に左側操作部３９ｂを形成している。
このことから、ユーザが第２の左側ハンドル部材３７ｂ−２を把持して画面部３の位置角度を操作している途中に誤って左側操作部３９ｂを操作してしまうことを防止することも可能となっている。
この左側操作部３９ｂは、ユーザが任意に必要な機能を割り当てることが可能とすると、より好適である。
このように構成したことから、よりユーザの使用の便宜性が増す。
なお、右側ハンドル３７ａの構成も左側ハンドル３７ｂと面対称である。
【００４２】
以上の実施形態によれば、ビューファインダ１は、カメラ本体９によって撮影された画像を表示可能な表示画面３５が形成された画面部３と、を有している。
また、カメラ本体９に固定可能な台座部５と、台座部５と画面部３を連結し、画面部３を台座部７を基点として移動させるアーム部１３と、を有している。
そして、アーム部１３は、画面部３の右側サイドに形成された右側アーム部１３ａと、画面部３の左側サイドに形成された左側アーム部１３ｂと、を有している。
そして、右側アーム部１３ａは、画面部３と回転可能に形成され、かつ、台座部５と回転可能に形成される第１の右側アーム１５ａと、画面部３と回転可能に形成され、かつ、台座部５と回転可能に形成される第２の右側アーム１７ａと、を含んでいる。
加えて、左側アーム部１３ｂは、画面部３と回転可能に形成され、かつ、台座部５と回転可能に形成される第１の左側アーム１５ｂと、画面部３と回転可能に形成され、かつ、台座部５と回転可能に形成される第２の左側アーム１７ｂと、を含んでいる。
第１の右側アーム１５ａ、第２の右側アーム１７ａ、台座部５及び画面部３が４節回転リンク機構を形成し、第１の左側アーム１５ｂ、第２の左側アーム１７ｂ、台座部５及び画面部３が４節回転リンクを形成している。
以上のような構成を有することから、ユーザが画面部３を移動させた場合であっても、ユーザはさらに特段の操作を行わなくても、表示画面３５を視認し続けることが可能となる。
【００４３】
第１の右側アーム１５ａと台座部５とを回転可能に連結する第１の右側回転中心軸１９ａは第２の右側アーム１７ａと台座部５とを回転可能に連結する第２の右側回転中心軸２３ａよりも、台座部５がカメラ本体９と連結する側に位置している。
また、第１の右側アーム１５ａと画面部３とを回転可能に連結する第３の右側回転中心軸２１ａは第２の右側アーム１７ａと画面部３とを回転可能に連結する第４の右側回転中心軸２５ａよりも、台座部５がカメラ本体９と連結する側に位置している。
そして、第１の左側アーム１５ｂと台座部５とを回転可能に連結する第１の左側回転中心軸１９ｂは第２の左側アーム１７ｂと台座部５とを回転可能に連結する第２の左側回転中心軸２３ｂよりも、台座部５がカメラ本体９と連結する側に位置している。
さらに、第１の左側アーム１５ｂと画面部３とを回転可能に連結する第３の左側回転中心軸２１ｂは第２の左側アーム１７ｂと画面部３とを回転可能に連結する第４の左側回転中心軸２５ｂよりも、台座部５がカメラ本体９と連結する側に位置している。
以上のような構成を有することから、ユーザが画面部３を移動させた場合であっても、ユーザはさらに特段の操作を行わなくても、表示画面３５を視認し続けることが可能となる。
【００４４】
第１の右側回転中心軸１９ａと第３の右側回転中心軸２１ａとの距離と第２の右側回転中心軸２３ａと第４の右側回転中心軸２５ａとの距離とが同一に形成されている。
また、第１の左側回転中心軸１９ｂと第３の左側回転中心軸２１ｂとの距離と第２の左側回転中心軸２３ｂと第４の左側回転中心軸２５ｂとの距離とが同一に形成されている。
以上のような構成を有することから、ユーザが画面部３を移動させた場合であっても、ユーザはさらに特段の操作を行わなくても、画面部３の表示画面３５が向いている方向が変化せず、表示画面３５を視認し続けることが可能となる。
【００４５】
第３の右側回転中心軸２１ａと第４の右側回転中心軸２５ａとの間には、画面部３の角度を変更する第２の右側回転ハンドル３３ａ（画面角度調整部）が形成されている。
また、第１の右側回転中心軸１９ａには、右側アーム部１３ａ及び左側アーム部１３ｂが伸びている角度を変更する第１の右側回転ハンドル３１ａ（アーム角度調整部）が形成されている。
そして、第３の左側回転中心軸２１ｂと第４の左側回転中心軸２５ｂとの間には、画面部３の角度の変更に必要な力を調節する第２の左側回転ハンドル３３ｂ（画面部側フリクション調整部）が形成されている。
加えて、第１の左側回転中心軸１９ｂには、右側アーム部１３ａ及び左側アーム部１３ｂが伸びている角度を変更するのに必要な力を調整する第１の左側回転ハンドル３１ｂ（台座部側フリクション調整部）が形成されている。
このような構成を有することから、ユーザは容易に画面部３の位置や表示画面３５が向いている方向を変更することが可能となる。
【００４６】
第１の右側回転中心軸１９ａ及び第１の左側回転中心軸１９ｂと接続された連結軸５１が形成され、連結軸５１は第１の右側アーム１５ａ及び第１の左側アーム１５ｂと固定され、第１の右側アーム１５ａと第１の左側アーム１５ｂの角度を一致させている。
このような構成を有することから、右側アーム部１３ａと左側アーム部１３ｂとの角度を簡易な構成によって一致させることが可能となる。
【００４７】
右側アーム部１３ａ及び左側アーム部１３ｂを回転させて画面部３をカメラ本体９から離間させる方向に回転中心軸には回転力が付与されている。
このような構成を有することから、画面部３を所望の位置に移動させる動作の最初及び最後等にユーザは特段の操作を必要とせず、移動の最中に多くの力を必要としない。
【００４８】
ウオームギア４３と、ウオームギア４３のウオーム４７を回転させる回転力調節部４１と、一端が連結軸５１と固定され、ウオームギア４３のウオームホール４５と固定されるねじりコイルばね５５と、を有する。
このような構成を有することから、簡便な構成でアーム部１３への回転力を発生することができる。また、簡便な構成でアーム部１３への回転力を調節することが可能となる。
【００４９】
ねじりコイルばね５５は、連結軸５１を中心にして螺旋状に巻かれている。
このような構成を有することから、簡便な構成でアーム部１３への回転力を発生することができる。
【００５０】
画面部３の右側サイドには、表示画面３５の手前側に張り出した右側ハンドル３７ａが形成され、画面部３の左側サイドには、表示画面３５の手前側に張り出した左側ハンドル３７ｂが形成されている。
このような構成を有することから、ユーザは横型ハンドル形状に比べてより容易に画面部３の一角度を調節することが可能となっている。
【００５１】
右側ハンドル３７ａは、一端は画面部３の上部位置で固定され、他端は画面部３の下部位置で固定されている縦型ハンドルであり、左側ハンドル３７ｂは、一端は画面部３の上部位置で固定され、他端は画面部３の下部位置で固定されている縦型ハンドルである。
このような構成を有することから、ユーザは横型ハンドル形状に比べてより容易に画面部３の一角度を調節することが可能となっている。
【００５２】
右側ハンドル３７ａの上部側の位置には、右側操作部３９ａが形成され、左側ハンドル３７ｂの上部側の位置には、左側操作部３９ｂが形成されている。
このような構成を有することから、ユーザは画面部３を操作しつつ左側操作部３９ｂを操作することが可能となっている。
【００５３】
第１の右側回転ハンドル３１ａはアーム角度調整部の一例又は一部であり、第１の左側回転ハンドル３１ｂは台座部フリクション調整部の一例又は一部である。
また、第２の右側回転ハンドル３３ａは画面角度調整部の一例又は一部であり、第２の左側回転ハンドル３３ｂは画面部側フリクション調整部の一例又は一部である。
また、本発明において同一とは、製造誤差等による誤差等によって生じる程度の範囲の違いを有する範囲をも含む。
【００５４】
本発明は、以上の実施形態に限定されず、種々の態様で実施されてよい。
ビューファインダ１は、カメラ機能を有する全ての電気製品に適用可能である。カメラ本体９は固定カメラ、携帯カメラ等であって良い。
【符号の説明】
【００５５】
１…ビューファインダ、３…画面部、５…台座部、７…アジャスタ部、９…カメラ本体、１３…アーム部、１３ａ…右側アーム部、１３ｂ…左側アーム部、１５…第１のアーム、１５ａ…第１の右側アーム、１５ｂ…第１の左側アーム、１６…配線アーム、１６ａ…右側配線アーム、１６ｂ…左側配線アーム、１７…第２のアーム、１７ａ…第２の右側アーム、１７ｂ…第２の左側アーム、１９…第１の回転中心軸、１９ａ…第１の右側回転中心軸、１９ｂ…第１の左側回転中心軸、２１…第３の回転中心軸、２１ａ…第３の右側回転中心軸、２１ｂ…第３の左側回転中心軸、２３…第２の回転中心軸、２３ａ…第２の右側回転中心軸、２３ｂ…第２の左側回転中心軸、２５…第４の回転中心軸、２５ａ…第４の右側回転中心軸、２５ｂ…第４の左側回転中心軸、２７…第１の支持部、２７ａ…第１の右側支持部、２７ｂ…第１の左側支持部、２９…第２の支持部、２９ａ…第２の右側支持部、２９ｂ…第２の左側支持部、３１…第１の回転ハンドル、３１ａ…第１の右側回転ハンドル（アーム角度調整部）、３１ｂ…第１の左側回転ハンドル（台座部フリクション調整部）、３３…第２の回転ハンドル、３３ａ…第２の右側回転ハンドル（画面角度調整部）、３３ｂ…第２の左側回転ハンドル（画面部側フリクション調整部）、３５…表示画面、３７…ハンドル、３７ａ…右側ハンドル、３７ｂ…左側ハンドル、３７−１…第１のハンドル部材、３７ａ−１…第１の右側ハンドル部材、３７ｂ−１…第１の左側ハンドル部材、３７−２…第２のハンドル部材、３７ａ−２…第２の右側ハンドル部材、３７ｂ−２…第２の左側ハンドル部材、３７−３…第３のハンドル部材、３７ａ−３…第３の右側ハンドル部材、３７ｂ−３…第３の左側ハンドル部材、３９…操作部、３９ａ…右側操作部、３９ｂ…左側操作部、４１…回転力調節部、４３…ウオームギア、４５…ウオームホール、４７…ウオーム、５１…連結軸、５３…連結部材、５３ａ…右側連結部材、５３ｂ…左側連結部材、５５…コイルばね、５５ａ…右側コイルばね、５５ｂ…左側コイルばね、５７…ギアボックス、５９…ストッパ、５９ａ…右側ストッパ、５９ｂ…左側ストッパ
【図１】
2011223305.tif 000003
【図２】
2011223305.tif 000004
【図３】
2011223305.tif 000005
【図４】
2011223305.tif 000006
【図５】
2011223305.tif 000007
【図６】
2011223305.tif 000008
【図７】
2011223305.tif 000009
【図８】
2011223305.tif 000010